(57)【要約】【課題】本発明は二人用電気スタンドを開示した。【解決手段】本発明は歯ブラシ消毒セットを公示し、筐体を含み、前記筐体の中には移動チャンバが左右対称に設置され、前記移動チャンバの中には移動ブロックがスライド可能に装着され、前記移動チャンバの頂壁の中には第一ネジボルトが回転可能に装着され、前記第一ネジボルトは前記筐体の底部端面を貫通しており、前記第一ネジボルトの底部端面には第一ノブが固定的に装着され、電気スタンドの使用状態にあるかどうかによって、電球の左右位置を調整でき、非使用状態では、電気スタンドの占めるスペースを減らし、また、二つの位置にそれぞれ電気スタンドを置く必要がないため、資源の浪費を防げる。【選択図】図１
2020184504.tif 000002
【特許請求の範囲】
【請求項１】
正面視で、筐体を含み、前記筐体の中には移動チャンバが左右対称に設置され、前記移動チャンバの中には移動ブロックがスライド可能に装着され、前記移動チャンバの頂壁の中には第一ネジボルトが回転可能に装着され、前記第一ネジボルトは前記筐体の底部端面を貫通しており、前記第一ネジボルトの底部端面には第一ノブが固定的に装着され、前記移動ブロックには固定板が前後対称に、且つ固定的に装着され、前後の前記固定板の間には連結棒がヒンジで装着され、前記移動チャンバの上方には推進チャンバが設置され、前記推進チャンバの中には推進ブロックがスライド可能に装着され、前記推進ブロックには推進板が固定的に装着され、前記推進板と前記筐体とはスライド可能に連結され、前記推進板の底部端面には連結板が前後対称に、且つ固定的に装着され、前後の前記連結板と前記連結棒とはヒンジで連結され、左右の前記移動チャンバの間には伝動機構が設置され、前記移動ブロックが上下移動し、前記伝動機構を通じて前記推進板の左右移動を連動させ、前記推進板の上方には照明機構が設置され、前記照明機構は照明を提供でき、前記照明機構は灯箱を含み、前記灯箱は前記推進板の頂部端面に固定的に装着され、前記灯箱の中には電球チャンバが設置され、前記電球チャンバの底壁には電球が固定的に装着され、前記電球は照明でき、前記筐体の下方には固定台が設置され、前記固定台の中には上方に開口したネジ山チャンバが設置され、前記ネジ山チャンバの中にはネジ山ブロックがスライド可能に装着され、前記ネジ山チャンバの底壁の中には第二ネジボルトが回転可能に装着され、前記第二ネジボルトは前記筐体の頂部端面を貫通しており、前記第二ネジボルトと前記ネジ山ブロックとはネジ山によって連結され、前記ネジ山ブロックの頂部端面には第二ノブが固定的に装着され、前記第二ノブを回す時に、前記第二ネジボルトは回転し、前記ネジ山ブロックの上下移動を連動させ、前記筐体の位置を調整することを特徴とする二人用電気スタンド。
【請求項２】
前記伝動機構は第一伝動チャンバを含み、前記第一伝動チャンバは左側の前記移動チャンバの下方に設置され、左側の前記第一ネジボルトのうち前記第一伝動チャンバの中に位置する部分には第一歯車が固定的に装着され、前記第一伝動チャンバの上方には第二伝動チャンバが設置され、前記第二伝動チャンバの上方には噛合チャンバが設置され、前記第一伝動チャンバと前記噛合チャンバとの間には伝動棒が回転可能に装着され、前記伝動棒の底部端面には第二歯車が固定的に装着され、前記第二歯車と前記第一歯車との間には第一チェーンが伝動可能に装着され、前記伝動棒のうち前記第二伝動チャンバの中に位置する部分には第三歯車が固定的に装着され、右側の前記第一ネジボルトは上に伸び、前記第二伝動チャンバの底壁を貫通しており、右側の前記第一ネジボルトの頂部端面には第四歯車が固定的に装着され、前記第四歯車と前記第三歯車との間には第二チェーンが伝動可能に装着され、前記伝動棒の頂部端面には第一傘歯車が固定的に装着され、前記噛合チャンバと前記推進チャンバとの間には第三ネジボルトが回転可能に装着され、前記推進ブロックの中にはネジ穴が設置され、前記ネジ穴と前記第三ネジボルトとはネジ山によって装着され、前記第三ネジボルトには第二傘歯車が固定的に装着され、前記第二傘歯車と前記第一傘歯車とは噛み合っていることを特徴とする請求項１に記載の二人用電気スタンド。
【請求項３】
前記照明機構は前記灯箱の中に設置された四つの抜き穴を含み、前記抜き穴の中には輔助ブロックがスライド可能に装着され、前記輔助ブロックの頂部端面には輔助板が固定的に装着され、前記輔助板の頂部端面には連結箱が固定的に装着され、前記連結箱の中には連結溝が設置され、前記連結溝の中にはスライド棒がスライド可能に装着され、前記筐体の左右両側端面には固定棒が固定的に装着され、前記固定棒の中にはスライド溝が設置され、前記スライド溝の中にはスライドブロックがスライド可能に装着され、前記スライドブロックと前記スライド棒とはヒンジで連結されていることを特徴とする請求項１に記載の二人用電気スタンド。
【発明の詳細な説明】
【技術分野】
【０００１】
本発明は電気スタンド分野を取り上げ、具体的には二人用電気スタンドである。
【背景技術】
【０００２】
二人が向き合って仕事や勉強をする時に、一つの電気スタンドでは二人の位置を照らすことができない。しかし、それぞれの位置に電気スタンドを置くと、資源の浪費になってしまう。さらに、一般的な二人用電気スタンドは電球の位置を移動できず、非使用時には、占めるスペースが大きいである。
【先行技術文献】
【特許文献】
【０００３】
【特許文献１】中国特許出願公開第１０４７９１６４４号明細書
【発明の概要】
【発明が解決しようとする課題】
【０００４】
本発明は二人用電気スタンドを提供し、既存技術にある上記の欠点を解消することを目的とする。
【課題を解決するための手段】
【０００５】
本発明の実施例による二人用電気スタンドは筐体を含み、前記筐体の中には移動チャンバが左右対称に設置され、前記移動チャンバの中には移動ブロックがスライド可能に装着され、前記移動チャンバの頂壁の中には第一ネジボルトが回転可能に装着され、前記第一ネジボルトは前記筐体の底部端面を貫通しており、前記第一ネジボルトの底部端面には第一ノブが固定的に装着され、前記移動ブロックには固定板が前後対称に、且つ固定的に装着され、前後の前記固定板の間には連結棒がヒンジで装着され、前記移動チャンバの上方には推進チャンバが設置され、前記推進チャンバの中には推進ブロックがスライド可能に装着され、前記推進ブロックには推進板が固定的に装着され、前記推進板と前記筐体とはスライド可能に連結され、前記推進板の底部端面には連結板が前後対称に、且つ固定的に装着され、前後の前記連結板と前記連結棒とはヒンジで連結され、左右の前記移動チャンバの間には伝動機構が設置され、前記移動ブロックが上下移動し、前記伝動機構を通じて前記推進板の左右移動を連動させ、前記推進板の上方には照明機構が設置され、前記照明機構は照明を提供でき、前記照明機構は灯箱を含み、前記灯箱は前記推進板の頂部端面に固定的に装着され、前記灯箱の中には電球チャンバが設置され、前記電球チャンバの底壁には電球が固定的に装着され、前記電球は照明でき、前記筐体の下方には固定台が設置され、前記固定台の中には上方に開口したネジ山チャンバが設置され、前記ネジ山チャンバの中にはネジ山ブロックがスライド可能に装着され、前記ネジ山チャンバの底壁の中には第二ネジボルトが回転可能に装着され、前記第二ネジボルトは前記筐体の頂部端面を貫通しており、前記第二ネジボルトと前記ネジ山ブロックとはネジ山によって連結され、前記ネジ山ブロックの頂部端面には第二ノブが固定的に装着され、前記第二ノブを回す時に、前記第二ネジボルトは回転し、前記ネジ山ブロックの上下移動を連動させ、前記筐体の位置を調整する。
【０００６】
さらなる技術プランとして、前記伝動機構は第一伝動チャンバを含み、前記第一伝動チャンバは左側の前記移動チャンバの下方に設置され、左側の前記第一ネジボルトのうち前記第一伝動チャンバの中に位置する部分には第一歯車が固定的に装着され、前記第一伝動チャンバの上方には第二伝動チャンバが設置され、前記第二伝動チャンバの上方には噛合チャンバが設置され、前記第一伝動チャンバと前記噛合チャンバとの間には伝動棒が回転可能に装着され、前記伝動棒の底部端面には第二歯車が固定的に装着され、前記第二歯車と前記第一歯車との間には第一チェーンが伝動可能に装着され、前記伝動棒のうち前記第二伝動チャンバの中に位置する部分には第三歯車が固定的に装着され、右側の前記第一ネジボルトは上に伸び、前記第二伝動チャンバの底壁を貫通しており、右側の前記第一ネジボルトの頂部端面には第四歯車が固定的に装着され、前記第四歯車と前記第三歯車との間には第二チェーンが伝動可能に装着され、前記伝動棒の頂部端面には第一傘歯車が固定的に装着され、前記噛合チャンバと前記推進チャンバとの間には第三ネジボルトが回転可能に装着され、前記推進ブロックの中にはネジ穴が設置され、前記ネジ穴と前記第三ネジボルトとはネジ山によって装着され、前記第三ネジボルトには第二傘歯車が固定的に装着され、前記第二傘歯車と前記第一傘歯車とは噛み合っている。
【０００７】
さらなる技術プランとして、前記照明機構は前記灯箱の中に設置された四つの抜き穴を含み、前記抜き穴の中には輔助ブロックがスライド可能に装着され、前記輔助ブロックの頂部端面には輔助板が固定的に装着され、前記輔助板の頂部端面には連結箱が固定的に装着され、前記連結箱の中には連結溝が設置され、前記連結溝の中にはスライド棒がスライド可能に装着され、前記筐体の左右両側端面には固定棒が固定的に装着され、前記固定棒の中にはスライド溝が設置され、前記スライド溝の中にはスライドブロックがスライド可能に装着され、前記スライドブロックと前記スライド棒とはヒンジで連結されている。
【発明の効果】
【０００８】
本発明のメリットは：本発明は電気スタンドの使用状態にあるかどうかによって、電球の左右位置を調整でき、非使用状態では、電気スタンドの占めるスペースを減らし、また、二つの位置にそれぞれ電気スタンドを置く必要がないため、資源の浪費を防げ、普及に値する。
【図面の簡単な説明】
【０００９】
下記に図１〜４をあわせて本発明について詳しく説明し、便利に説明するために、下記の方向を以下のように規定する：図１は本発明装置の正面図であり、以下に述べる上下左右前後の方向と図１の自身投影関係の上下左右前後の方向とが一致である。
【００１０】
【図１】図１は本発明の構成略図
【図２】図２は図１におけるＡ―Ａ方向からの断面構成略図
【図３】図３は図１におけるＢ―Ｂ方向からの断面構成略図
【図４】図４は図１におけるＣの拡大略図
【発明を実施するための形態】
【００１１】
図１〜４を参照し、本発明の二人用電気スタンドは筐体５２を含み、前記筐体５２の中には移動チャンバ２０が左右対称に設置され、前記移動チャンバ２０の中には移動ブロック１９がスライド可能に装着され、前記移動チャンバ２０の頂壁の中には第一ネジボルト２１が回転可能に装着され、前記第一ネジボルト２１は前記筐体５２の底部端面を貫通しており、前記第一ネジボルト２１の底部端面には第一ノブ２３が固定的に装着され、前記移動ブロック１９には固定板１８が前後対称に、且つ固定的に装着され、前後の前記固定板１８の間には連結棒１７がヒンジで装着され、前記移動チャンバ２０の上方には推進チャンバ１６が設置され、前記推進チャンバ１６の中には推進ブロック４３がスライド可能に装着され、前記推進ブロック４３には推進板１４が固定的に装着され、前記推進板１４と前記筐体５２とはスライド可能に連結され、前記推進板１４の底部端面には連結板１５が前後対称に、且つ固定的に装着され、前後の前記連結板１５と前記連結棒１７とはヒンジで連結され、左右の前記移動チャンバ２０の間には伝動機構７０が設置され、前記移動ブロック１９が上下移動し、前記伝動機構７０を通じて前記推進板１４の左右移動を連動させ、前記推進板１４の上方には照明機構８０が設置され、前記照明機構８０は照明を提供でき、前記照明機構８０は灯箱１２を含み、前記灯箱１２は前記推進板１４の頂部端面に固定的に装着され、前記灯箱１２の中には電球チャンバ１１が設置され、前記電球チャンバ１１の底壁には電球１３が固定的に装着され、前記電球１３は照明でき、前記筐体５２の下方には固定台２９が設置され、前記固定台２９の中には上方に開口したネジ山チャンバ２６が設置され、前記ネジ山チャンバ２６の中にはネジ山ブロック２８がスライド可能に装着され、前記ネジ山チャンバ２６の底壁の中には第二ネジボルト２７が回転可能に装着され、前記第二ネジボルト２７は前記筐体５２の頂部端面を貫通しており、前記第二ネジボルト２７と前記ネジ山ブロック２８とはネジ山によって連結され、前記ネジ山ブロック２８の頂部端面には第二ノブ４１が固定的に装着され、前記第二ノブ４１を回す時に、前記第二ネジボルト２７は回転し、前記ネジ山ブロック２８の上下移動を連動させ、前記筐体５２の位置を調整する。
【００１２】
前記伝動機構７０は第一伝動チャンバ２５を含み、前記第一伝動チャンバ２５は左側の前記移動チャンバ２０の下方に設置され、左側の前記第一ネジボルト２１のうち前記第一伝動チャンバ２５の中に位置する部分には第一歯車２２が固定的に装着され、前記第一伝動チャンバ２５の上方には第二伝動チャンバ３３が設置され、前記第二伝動チャンバ３３の上方には噛合チャンバ５３が設置され、前記第一伝動チャンバ２５と前記噛合チャンバ５３との間には伝動棒３１が回転可能に装着され、前記伝動棒３１の底部端面には第二歯車３０が固定的に装着され、前記第二歯車３０と前記第一歯車２２との間には第一チェーン２４が伝動可能に装着され、前記伝動棒３１のうち前記第二伝動チャンバ３３の中に位置する部分には第三歯車３２が固定的に装着され、右側の前記第一ネジボルト２１は上に伸び、前記第二伝動チャンバ３３の底壁を貫通しており、右側の前記第一ネジボルト２１の頂部端面には第四歯車３５が固定的に装着され、前記第四歯車３５と前記第三歯車３２との間には第二チェーン３４が伝動可能に装着され、前記伝動棒３１の頂部端面には第一傘歯車４０が固定的に装着され、前記噛合チャンバ５３と前記推進チャンバ１６との間には第三ネジボルト４２が回転可能に装着され、前記推進ブロック４３の中にはネジ穴４４が設置され、前記ネジ穴４４と前記第三ネジボルト４２とはネジ山によって装着され、前記第三ネジボルト４２には第二傘歯車３９が固定的に装着され、前記第二傘歯車３９と前記第一傘歯車４０とは噛み合っており、
それにより、左側の第一ノブ２３を回す時に、第一ネジボルト２１は回転し、移動ブロック１９を上下に移動させ、第一ネジボルト２１の回転は第一歯車２２の回転を連動させ、第一歯車２２は第一チェーン２４によって第二歯車３０と伝動棒３１の回転を連動させ、伝動棒３１の回転は第三歯車３２と第一傘歯車４０の回転を連動させ、第一傘歯車４０は第二傘歯車３９によって第三ネジボルト４２の回転を連動させ、第三ネジボルト４２の回転は推進ブロック４３の左右移動を連動させ、右側の第一ノブ２３を回し、第四歯車３５と第二チェーン３４とによって推進ブロック４３を左右移動させることもできる。
【００１３】
前記照明機構８０は前記灯箱１２の中に設置された四つの抜き穴５１を含み、前記抜き穴５１の中には輔助ブロック３６がスライド可能に装着され、前記輔助ブロック３６の頂部端面には輔助板３７が固定的に装着され、前記輔助板３７の頂部端面には連結箱４９が固定的に装着され、前記連結箱４９の中には連結溝５０が設置され、前記連結溝５０の中にはスライド棒４８がスライド可能に装着され、前記筐体５２の左右両側端面には固定棒４５が固定的に装着され、前記固定棒４５の中にはスライド溝３８が設置され、前記スライド溝３８の中にはスライドブロック４６がスライド可能に装着され、前記スライドブロック４６と前記スライド棒４８とはヒンジで連結され、
それにより、推進板１４が左右移動する時に、スライドブロック４６はスライド溝３８の中でスライドし、スライド棒４８は連結溝５０の中でスライドし、輔助ブロック３６は抜き穴５１の中で上下スライドし、移動ブロック１９が最高点に移動した時に、輔助ブロック３６は最高点に上昇し、電球１３が放った光は抜き穴５１を通じて照射する。
【００１４】
使用時に、左側の第一ノブ２３を回す時に、第一ネジボルト２１は回転し、移動ブロック１９を上下に移動させ、第一ネジボルト２１の回転は第一歯車２２の回転を連動させ、第一歯車２２は第一チェーン２４によって第二歯車３０と伝動棒３１の回転を連動させ、伝動棒３１の回転は第三歯車３２と第一傘歯車４０の回転を連動させ、第一傘歯車４０は第二傘歯車３９によって第三ネジボルト４２の回転を連動させ、第三ネジボルト４２の回転は推進ブロック４３の左右移動を連動させ、右側の第一ノブ２３を回し、第四歯車３５と第二チェーン３４とによって推進ブロックを左右移動させることもでき、推進板１４が左右移動する時に、スライドブロック４６はスライド溝３８の中でスライドし、スライド棒４８は連結溝５０の中でスライドし、輔助ブロック３６は抜き穴５１の中で上下スライドし、移動ブロック１９が最高点に移動した時に、輔助ブロック３６は最高点に上昇し、電球１３が放った光は抜き穴５１を通じて照射し、第二ノブ４１を回す時に、第二ネジボルト２７は回転し、ネジ山ブロック２８の上下移動を連動させ、筐体５２の位置を調整する。  
【００１５】
本発明の有益な効果は：本発明は電気スタンドの使用状態にあるかどうかによって、電球の左右位置を調整でき、非使用状態では、電気スタンドの占めるスペースを減らし、また、二つの位置にそれぞれ電気スタンドを置く必要がないため、資源の浪費を防げ、普及に値する。
【００１６】
本分野の技術者が明確できるのは、本発明の総体精神や発想から離脱しない場合で、以上の実施例に各種な変形ができ、それらの変形がすべて本発明の保護範囲にある。本発明の保護方案は本発明の権利要求書を標準とすべきである。
【図１】
2020184504.tif 000003
【図２】
2020184504.tif 000004
【図３】
2020184504.tif 000005
【図４】
2020184504.tif 000006